(57)【要約】【課題】複数の端末装置が、表示装置と接続するための情報を保持する構成を、容易に実現する。【解決手段】プロジェクター１００との接続情報を有し、無線通信部を備える端末装置１０Ａと、端末装置１０Ａが備える無線通信部と通信可能な無線通信部を備える端末装置１０Ｂと、を有する通信システム１であって、端末装置１０Ａ及び端末装置１０Ｂのいずれか一方が探索装置として動作し、他方が被探索装置として動作することにより、情報交換動作を実行し、情報交換動作において、探索装置は、無線通信部により探索信号を送信し、被探索装置は、探索信号を受信した場合に、被探索装置の状態を示す状態情報を含む応答信号を無線通信部により送信し、探索装置は、応答信号を受信した場合であって、応答信号に含まれる状態情報が予め設定された条件に該当する場合に、被探索装置との通信を確立する。【選択図】図１
2019041210.tif 000002
【特許請求の範囲】
【請求項１】
表示装置との接続情報を有し、無線通信部を備える第１端末と、
前記第１端末が備える前記無線通信部と通信可能な無線通信部を備える第２端末と、を有する通信システムであって、
前記第１端末及び前記第２端末のいずれか一方が探索装置として動作し、他方が被探索装置として動作することにより、情報交換動作を実行し、
前記情報交換動作において、
前記探索装置は、前記無線通信部により探索信号を送信し、
前記被探索装置は、前記探索信号を受信した場合に、前記被探索装置の状態を示す状態情報を含む応答信号を前記無線通信部により送信し、
前記探索装置は、前記応答信号を受信した場合であって、前記応答信号に含まれる前記状態情報が予め設定された条件に該当する場合に、前記被探索装置との通信を確立する、
通信システム。
【請求項２】
前記第１端末は、前記情報交換動作において前記探索装置と前記被探索装置との間で通信が確立された場合に、前記表示装置との接続情報を前記第２端末に送信し、
前記第２端末は、前記第１端末から送信される前記表示装置との接続情報に基づき、前記表示装置に接続する、
請求項１記載の通信システム。
【請求項３】
前記探索装置は、前記被探索装置が送信する前記応答信号に基づき前記探索装置と前記被探索装置との距離を推定し、推定した距離が予め設定された距離以下である場合に、前記被探索装置との通信を確立する、
請求項１または２記載の通信システム。
【請求項４】
前記被探索装置は、前記無線通信部が前記応答信号を送信する送信強度を前記状態情報として含む応答信号を、前記無線通信部により送信し、
前記探索装置は、前記被探索装置が送信する前記応答信号に含まれる前記状態情報に基づき、前記探索装置と前記被探索装置との距離を推定する、
請求項３記載の通信システム。
【請求項５】
前記第１端末及び前記第２端末のそれぞれは動きを検出する動き検出部を備え、
前記被探索装置は、前記動き検出部の検出結果を前記状態情報として含む応答信号を、前記無線通信部により送信し、
前記探索装置は、前記被探索装置が送信する前記応答信号に含まれる前記動き検出部の検出結果が、予め設定された条件に該当する場合に、前記被探索装置との通信を確立する、
請求項１から３のいずれか１項に記載の通信システム。
【請求項６】
前記第１端末は、
表示部と、前記表示部が表示する画像への操作を検出する操作検出部とを備え、
前記表示部に表示される操作画像に対する操作を前記操作検出部により検出した場合に、前記探索装置または前記被探索装置として前記情報交換動作を開始する、
請求項１から５のいずれか１項に記載の通信システム。
【請求項７】
前記第２端末は、
表示部と、前記表示部が表示する画像への操作を検出する操作検出部とを備え、
前記表示部に表示される操作画像に対する操作を前記操作検出部により検出した場合に、前記探索装置または前記被探索装置として前記情報交換動作を開始する、
請求項１から６のいずれか１項に記載の通信システム。
【請求項８】
前記情報交換動作において、前記第１端末は前記探索装置として動作し、前記第２端末は前記被探索装置として動作する、
請求項１から７のいずれか１項に記載の通信システム。
【請求項９】
表示装置と接続するための接続情報を有する端末装置であって、
外部端末と通信可能な無線通信部と、
前記無線通信部を制御する制御部と、を備え、
前記制御部は、
前記無線通信部により前記外部端末に探索信号を送信し、
前記探索信号を受信した前記外部端末が、前記外部端末の状態を示す状態情報を含む応答信号を送信した場合に、前記応答信号を受信し、
前記応答信号に含まれる前記状態情報が予め設定された条件に該当する場合に、前記外部端末との間で無線通信を確立し、
前記無線通信部により前記接続情報を送信する、
端末装置。
【請求項１０】
表示装置と接続するための接続情報を有する端末装置であって、
外部端末と通信可能な無線通信部と、
前記無線通信部を制御する制御部と、を備え、
前記制御部は、
前記無線通信部により、前記外部端末から探索信号を受信した場合に、前記端末装置の状態を示す状態情報を含む応答信号を送信し、
前記応答信号に含まれる前記状態情報と予め設定された条件とに基づき前記前記外部端末が前記端末装置との間で無線通信を確立した場合に、前記無線通信部により前記接続情報を送信する、
端末装置。
【請求項１１】
端末装置であって、
外部端末と通信可能な無線通信部と、
前記無線通信部を制御する制御部と、を備え、
前記制御部は、
前記無線通信部により、表示装置と接続するための接続情報を有する前記外部端末に探索信号を送信し、
前記探索信号を受信した前記外部端末が、前記外部端末の状態を示す状態情報を含む応答信号を送信した場合に、前記応答信号を受信し、
前記応答信号に含まれる前記状態情報が予め設定された条件に該当する場合に、前記外部端末との間で無線通信を確立し、
前記外部端末が送信する前記接続情報を前記無線通信部により受信する、
端末装置。
【請求項１２】
端末装置であって、
外部端末と通信可能な無線通信部と、
前記無線通信部を制御する制御部と、を備え、
前記制御部は、
前記無線通信部により、表示装置と接続するための接続情報を有する前記外部端末から探索信号を受信した場合に、前記端末装置の状態を示す状態情報を含む応答信号を送信し、
前記応答信号に含まれる前記状態情報と予め設定された条件とに基づき前記前記外部端末が前記端末装置との間で無線通信を確立した場合に、前記外部端末が送信する前記接続情報を前記無線通信部により受信する、
端末装置。
【請求項１３】
表示装置との接続情報を有し、無線通信部を備える第１端末と、前記第１端末が備える前記無線通信部と通信可能な無線通信部を備える第２端末と、の間の情報交換方法であって、
前記第１端末及び前記第２端末のいずれか一方が探索装置として動作し、他方が被探索装置として動作することにより、情報交換動作を実行し、
前記情報交換動作において、
前記探索装置は、前記無線通信部により探索信号を送信し、
前記被探索装置は、前記探索信号を受信した場合に、前記被探索装置の状態を示す状態情報を含む応答信号を前記無線通信部により送信し、
前記探索装置は、前記応答信号を受信した場合であって、前記応答信号に含まれる前記状態情報が予め設定された条件に該当する場合に、前記被探索装置との通信を確立する、
情報交換方法。
【発明の詳細な説明】
【技術分野】
【０００１】
本発明は、通信システム、端末装置、及び、端末装置間における情報交換方法に関する。
【背景技術】
【０００２】
従来、プロジェクター等の表示装置と複数の端末装置とを無線通信により接続したシステムが知られている（例えば、特許文献１参照）。特許文献１の構成では、複数のタブレット端末の各々が、プロジェクターと無線で通信し、タブレット端末のディスプレイに表示された画像をスクリーンに投影する。
【先行技術文献】
【特許文献】
【０００３】
【特許文献１】特開２０１７−２７１９１号公報
【発明の概要】
【発明が解決しようとする課題】
【０００４】
特許文献１のシステムのように、複数の端末装置が表示装置と無線で通信するためには、それぞれの端末装置を操作して表示装置に無線接続させる設定の操作が必要であった。この種の操作は、例えば、無線通信ネットワーク上の表示装置を特定する情報を各端末装置に取得させる必要があった。作業負担が大きく、負担の軽減が望まれていた。
本発明は、上述した事情に鑑みてなされたものであり、複数の端末装置が、表示装置と接続するための情報を保持する構成を、容易に実現できるようにすることを目的とする。
【課題を解決するための手段】
【０００５】
上記課題を解決するため、本発明は、表示装置との接続情報を有し、無線通信部を備える第１端末と、前記第１端末が備える前記無線通信部と通信可能な無線通信部を備える第２端末と、を有する通信システムであって、前記第１端末及び前記第２端末のいずれか一方が探索装置として動作し、他方が被探索装置として動作することにより、情報交換動作を実行し、前記情報交換動作において、前記探索装置は、前記無線通信部により探索信号を送信し、前記被探索装置は、前記探索信号を受信した場合に、前記被探索装置の状態を示す状態情報を含む応答信号を前記無線通信部により送信し、前記探索装置は、前記応答信号を受信した場合であって、前記応答信号に含まれる前記状態情報が予め設定された条件に該当する場合に、前記被探索装置との通信を確立する。
本発明によれば、第１端末と第２端末との間で通信を確立する際に送受信される応答信号に含まれる状態情報が、設定された条件に該当する場合に、第１端末と第２端末とを無線通信により接続できる。このため、探索装置である端末に、探索装置以外の端末のうち応答信号に含まれる状態情報が条件に該当する被探索装置を、選択的に接続できる。従って、状態情報が設定された条件に該当する情報となるように調整または制御を行うことで、特定の端末を選択的に無線接続させて、情報を送受信できる。このため、簡単な操作により、複数の端末装置に、表示装置と接続するための情報を保持させることができる。
【０００６】
また、本発明は、前記第１端末は、前記情報交換動作において前記探索装置と前記被探索装置との間で通信が確立された場合に、前記表示装置との接続情報を前記第２端末に送信し、前記第２端末は、前記第１端末から送信される前記表示装置との接続情報に基づき、前記表示装置に接続する構成であってもよい。
この構成によれば、第１端末と第２端末とを選択的に接続して、表示装置に接続するための接続情報を第１端末から第２端末に送信できる。これにより、表示装置に接続させる端末に対し選択的に無線接続して、接続情報を提供できる。
【０００７】
また、本発明は、前記探索装置は、前記被探索装置が送信する前記応答信号に基づき前記探索装置と前記被探索装置との距離を推定し、推定した距離が予め設定された距離以下である場合に、前記被探索装置との通信を確立する構成であってもよい。
この構成によれば、被探索装置である端末が、探索装置である端末から設定された距離以下の位置にある場合に、探索装置と被探索装置とを接続できる。これにより、第１端末と第２端末との距離を適切な距離にすることで、第１端末と第２端末とを選択的に無線接続して、情報を送受信できる。
【０００８】
また、本発明は、前記被探索装置は、前記無線通信部が前記応答信号を送信する送信強度を前記状態情報として含む応答信号を、前記無線通信部により送信し、前記探索装置は、前記被探索装置が送信する前記応答信号に含まれる前記状態情報に基づき、前記探索装置と前記被探索装置との距離を推定する構成であってもよい。
この構成によれば、応答信号の送信強度に基づき、端末間の距離を精度よく推定できる。
【０００９】
また、本発明は、前記第１端末及び前記第２端末のそれぞれは動きを検出する動き検出部を備え、前記被探索装置は、前記動き検出部の検出結果を前記状態情報として含む応答信号を、前記無線通信部により送信し、前記探索装置は、前記被探索装置が送信する前記応答信号に含まれる前記動き検出部の検出結果が、予め設定された条件に該当する場合に、前記被探索装置との通信を確立する構成であってもよい。
この構成によれば、被探索装置である端末を、動き検出部により検出されるように動かすことで、第１端末と第２端末とを選択的に無線接続させることができる。
【００１０】
また、本発明は、前記第１端末は、表示部と、前記表示部が表示する画像への操作を検出する操作検出部とを備え、前記表示部に表示される操作画像に対する操作を前記操作検出部により検出した場合に、前記探索装置または前記被探索装置として前記情報交換動作を開始する構成であってもよい。
この構成によれば、第１端末で操作画像に対する操作を行うことで、第１端末と第２端末とを選択的に無線接続させることができる。
【００１１】
また、本発明は、前記第２端末は、表示部と、前記表示部が表示する画像への操作を検出する操作検出部とを備え、前記表示部に表示される操作画像に対する操作を前記操作検出部により検出した場合に、前記探索装置または前記被探索装置として前記情報交換動作を開始する構成であってもよい。
この構成によれば、第２端末で操作画像に対する操作を行うことで、第１端末と第２端末とを選択的に無線接続させることができる。
【００１２】
また、本発明は、前記情報交換動作において、前記第１端末は前記探索装置として動作し、前記第２端末は前記被探索装置として動作する構成であってもよい。
この構成によれば、第１端末が探索装置として動作することにより、第２端末に対し選択的に無線接続して、情報を送信できる。
【００１３】
また、上記課題を解決するため、本発明は、表示装置と接続するための接続情報を有する端末装置であって、外部端末と通信可能な無線通信部と、前記無線通信部を制御する制御部と、を備え、前記制御部は、前記無線通信部により前記外部端末に探索信号を送信し、前記探索信号を受信した前記外部端末が、前記外部端末の状態を示す状態情報を含む応答信号を送信した場合に、前記応答信号を受信し、前記応答信号に含まれる前記状態情報が予め設定された条件に該当する場合に、前記外部端末との間で無線通信を確立し、前記無線通信部により前記接続情報を送信する。
本発明によれば、外部端末が送信する応答信号に含まれる状態情報が、設定された条件に該当する場合に、外部端末と無線通信により接続する。これにより、状態情報が条件に該当する外部端末を選択的に接続させて、この外部端末に対し接続情報を送信できる。このため、簡単な操作により、複数の端末装置間で表示装置と接続するための情報を共有させることができる。
【００１４】
また、上記課題を解決するため、本発明は、表示装置と接続するための接続情報を有する端末装置であって、外部端末と通信可能な無線通信部と、前記無線通信部を制御する制御部と、を備え、前記制御部は、前記無線通信部により、前記外部端末から探索信号を受信した場合に、前記端末装置の状態を示す状態情報を含む応答信号を送信し、前記応答信号に含まれる前記状態情報と予め設定された条件とに基づき前記前記外部端末が前記端末装置との間で無線通信を確立した場合に、前記無線通信部により前記接続情報を送信する。
本発明によれば、外部端末の条件に該当する状態情報を含む応答信号を送信することで、外部端末に無線接続できる。これにより、外部端末に対して選択的に接続して、この外部端末に対し接続情報を送信できる。このため、簡単な操作により、複数の端末装置が、表示装置と接続するための情報を共有できる。
【００１５】
また、上記課題を解決するため、本発明は、端末装置であって、外部端末と通信可能な無線通信部と、前記無線通信部を制御する制御部と、を備え、前記制御部は、前記無線通信部により、表示装置と接続するための接続情報を有する前記外部端末に探索信号を送信し、前記探索信号を受信した前記外部端末が、前記外部端末の状態を示す状態情報を含む応答信号を送信した場合に、前記応答信号を受信し、前記応答信号に含まれる前記状態情報が予め設定された条件に該当する場合に、前記外部端末との間で無線通信を確立し、前記外部端末が送信する前記接続情報を前記無線通信部により受信する。
本発明によれば、外部端末が送信する応答信号に含まれる状態情報が、設定された条件に該当する場合に、外部端末と無線通信により接続する。これにより、状態情報が条件に該当する外部端末を選択的に接続させて、この外部端末から接続情報を受信できる。このため、簡単な操作により、複数の端末装置間で表示装置と接続するための情報を共有させることができる。
【００１６】
また、上記課題を解決するため、本発明は、端末装置であって、外部端末と通信可能な無線通信部と、前記無線通信部を制御する制御部と、を備え、前記制御部は、前記無線通信部により、表示装置と接続するための接続情報を有する前記外部端末から探索信号を受信した場合に、前記端末装置の状態を示す状態情報を含む応答信号を送信し、前記応答信号に含まれる前記状態情報と予め設定された条件とに基づき前記前記外部端末が前記端末装置との間で無線通信を確立した場合に、前記外部端末が送信する前記接続情報を前記無線通信部により受信する。
本発明によれば、外部端末の条件に該当する状態情報を含む応答信号を送信することで、外部端末に無線接続できる。これにより、外部端末に対して選択的に接続して、この外部端末から接続情報を受信できる。このため、簡単な操作により、複数の端末装置間で表示装置と接続するための情報を共有させることができる。
【００１７】
また、上記課題を解決するため、本発明は、表示装置との接続情報を有し、無線通信部を備える第１端末と、前記第１端末が備える前記無線通信部と通信可能な無線通信部を備える第２端末と、の間の情報交換方法であって、前記第１端末及び前記第２端末のいずれか一方が探索装置として動作し、他方が被探索装置として動作することにより、情報交換動作を実行し、前記情報交換動作において、前記探索装置は、前記無線通信部により探索信号を送信し、前記被探索装置は、前記探索信号を受信した場合に、前記被探索装置の状態を示す状態情報を含む応答信号を前記無線通信部により送信し、前記探索装置は、前記応答信号を受信した場合であって、前記応答信号に含まれる前記状態情報が予め設定された条件に該当する場合に、前記被探索装置との通信を確立する。
本発明によれば、第１端末と第２端末との間で通信を確立する際に送受信される応答信号に含まれる状態情報が、設定された条件に該当する場合に、第１端末と第２端末とを無線通信により接続できる。このため、探索装置である端末に、探索装置以外の端末のうち応答信号に含まれる状態情報が条件に該当する被探索装置を、選択的に接続できる。従って、状態情報が設定された条件に該当する情報となるように調整または制御を行うことで、特定の端末を選択的に無線接続させて、情報を送受信できる。このため、簡単な操作により、複数の端末装置に、表示装置と接続するための情報を保持させることができる。
【００１８】
本発明は、上述した通信システム、端末装置、及び、情報交換方法以外の種々の形態で実現することも可能である。例えば、上記の方法を実行するためにコンピューター（或いはプロセッサー）が実行するプログラムとして実現してもよい。また、上記プログラムを記録した記録媒体、プログラムを配信するサーバー装置、上記プログラムを伝送する伝送媒体、上記プログラムを搬送波内に具現化したデータ信号等の形態で実現できる。
【図面の簡単な説明】
【００１９】
【図１】表示システムの概略構成図。
【図２】プロジェクターのブロック図。
【図３】端末装置のブロック図。
【図４】表示システムの動作の一態様を示すシーケンス図。
【図５】表示システムの動作の別の態様を示すシーケンス図。
【発明を実施するための形態】
【００２０】
図１、本発明を適用した実施形態に係る表示システム１の概略構成図である。
表示システム１は、複数の表示装置を備えるシステムであり、本実施形態では、プロジェクター１００（表示装置）、及び、複数の端末装置１０Ａ、１０Ｂを含む。
プロジェクター１００は、スクリーンＳＣに映像を投射する装置であり、後述する操作パネル１５５（図２）またはリモコン１７０により操作される。
【００２１】
スクリーンＳＣは、建物の室内の壁面、天井面あるいは床面に設置される幕状のスクリーンであってもよいが、壁面をスクリーンＳＣとして利用してもよい。また、ホワイトボードや家具などの設置物の平面を、スクリーンＳＣとして利用してもよい。また、スクリーンＳＣは平面に限らず、曲面や、凹凸を有する面であってもよい。
プロジェクター１００がスクリーンＳＣに投射する映像は、静止画像であっても動画像であってもよい。プロジェクター１００は、静止画像を投射する場合であっても、所定のフレームレートでスクリーンＳＣ上の投射画像を更新するため、実質的な動作は静止画像と動画像とで相違しない。
【００２２】
プロジェクター１００は、端末装置１０Ａと無線通信を実行し、端末装置１０Ａが送信する映像コンテンツのデータを受信し、受信したデータに基づき、スクリーンＳＣに映像を投射する。また、プロジェクター１００は、端末装置１０Ｂと無線通信を行うことが可能である。端末装置１０Ｂがプロジェクター１００と無線接続を確立した場合、プロジェクター１００は、端末装置１０Ｂが送信する映像コンテンツのデータを受信し、受信したデータに基づきスクリーンＳＣに映像を投射する。
【００２３】
表示システム１は、プロジェクター１００と端末装置１０Ａ、１０Ｂとを接続する無線通信回線として、無線ＬＡＮ（（ＷｉＦｉ（登録商標）を含む。以下同様）を利用できる。また、端末装置１０Ａと端末装置１０Ｂとが実行する通信において無線ＬＡＮ回線を利用してもよい。プロジェクター１００及び端末装置１０Ａ、１０Ｂのいずれかが無線ＬＡＮ通信を実行する構成において、表示システム１は、無線ＬＡＮアクセスポイントとして機能する通信機器（図示略）を含んでもよい。また、プロジェクター１００及び端末装置１０Ａ、１０Ｂのいずれかが無線ＬＡＮアクセスポイントとして機能してもよい。これらの場合において、表示システム１で、いわゆるインフラストラクチャーモードで通信が実行され、１つのＳＳＩＤ（Ｓｅｒｖｉｃｅ  Ｓｅｔ  ＩＤｅｎｔｉｆｉｅｒ）で識別される無線ネットワークが構成されてもよい。また、例えば、プロジェクター１００と端末装置１０Ａまたは端末装置１０Ｂが通信する場合のＳＳＩＤと、端末装置１０Ａと端末装置１０Ｂとが通信する場合のＳＳＩＤとを異なるＳＳＩＤにしてもよい。また、表示システム１において、プロジェクター１００及び端末装置１０Ａ、１０Ｂが、アドホックモードで相互に１対１の通信を実行してもよい。
【００２４】
端末装置１０Ａ及び端末装置１０Ｂは、プロジェクター１００との間で無線通信を実行する機能を有する装置である。以下の説明では、端末装置１０Ａが第１端末、端末装置１０Ｂが第２端末に相当する。端末装置１０Ａ及び端末装置１０Ｂは、例えば可搬型または携帯型の端末装置として構成することができ、具体的には、ノート型コンピューター、タブレット型コンピューター、スマートフォン、携帯型電話機等を用いることができる。端末装置１０Ａ及び端末装置１０Ｂは、共通の構成を具備するものであってもよいし、異なる構成であってもよい。本実施形態では、端末装置１０Ａ及び端末装置１０Ｂが、図３を参照して後述するように共通の構成を具備する例を説明する。
【００２５】
端末装置１０Ａは、平板状の筐体１１を有し、筐体１１の表面にタッチスクリーン３０を備える。タッチスクリーン３０は、画像を表示する表示パネル３１（図３）、及び、ユーザーのタッチ操作を検出するタッチパネル３２（図３）を備える。端末装置１０Ａは、タッチスクリーン３０に画像を表示し、この画像に対するタッチ操作を検出することにより、ＧＵＩを提供する。例えば、端末装置１０Ａは、タッチスクリーン３０に操作画像３０Ａを表示し、操作画像３０Ａをタッチ操作用のボタンとして機能させることができる。また、筐体１１には操作ボタン１４が設けられる。操作ボタン１４は押圧操作またはタッチ操作を検出可能な物理スイッチである。操作ボタン１４は、例えば、端末装置１０Ａの電源のオン／オフを指示する電源ボタン、端末装置１０Ａの表示状態を所定のホーム状態に移行させるホームボタン等である。
【００２６】
端末装置１０Ｂは、平板状の筐体１１に、タッチスクリーン３０及び操作ボタン１４を備える。タッチスクリーン３０及び操作ボタン１４の機能と、これらの機能を利用した端末装置１０Ｂの動作は、端末装置１０Ａと同様である。
【００２７】
図２は、プロジェクター１００の構成を示すブロック図である。
プロジェクター１００は、投射部１１０、投射光学系駆動部１２１、光源駆動部１２２、光変調装置駆動部１２３、Ｉ／Ｆ（インターフェイス）部１２４、画像処理部１２５、及び、制御部１３０を備える。また、プロジェクター１００は、記憶部１５１、入力処理部１５３、及び、無線通信部１５６を備える。これらの各部はバス１０５により相互に通信可能に接続される。また、後述するように、入力処理部１５３には赤外線受光部１５４及び操作パネル１５５が接続される。また、画像処理部１２５にはフレームメモリー１２６が接続される。
【００２８】
プロジェクター１００は、制御部１３０の制御により、画像ソースから画像データを取得して、取得した画像データに基づく画像を投射部１１０により投射する。制御部１３０の機能、及び、記憶部１５１が記憶する各種データについては後述する。
【００２９】
プロジェクター１００の画像ソースは、Ｉ／Ｆ部１２４に入力されるデータ、無線通信部１５６により受信するデータ、及び、記憶部１５１に記憶するデータから選択できる。
【００３０】
プロジェクター１００には、画像ソースとして、画像データを供給する画像供給装置（図示略）を接続してもよい。画像供給装置は、例えば、ＰＣ（パーソナルコンピューター）、ＤＶＤ（Ｄｉｇｉｔａｌ  Ｖｅｒｓａｔｉｌｅ  Ｄｉｓｋ）やＢｌｕ−ｒａｙ（登録商標）ディスク等を再生するメディア再生装置である。また、テレビチューナー装置、ＣＡＴＶ（Ｃａｂｌｅ  ｔｅｌｅｖｉｓｉｏｎ）のセットトップボックス、ビデオゲーム機等を用いてもよい。
【００３１】
Ｉ／Ｆ部１２４は、上述した画像供給装置を接続するインターフェイスであり、コネクター及びインターフェイス回路等を備える。Ｉ／Ｆ部１２４には、例えば、プロジェクター１００が処理可能なデータフォーマットでデジタル画像データが入力される。このデジタル画像データは、静止画像データであっても動画像データであってもよい。Ｉ／Ｆ部１２４は、ＳＤ（Ｓｅｃｕｒｅ  Ｄｉｇｉｔａｌ）メモリーカード等のカード型記録媒体や、ＵＳＢメモリーデバイス等、可搬型の記憶媒体を接続可能なコネクター及びインターフェイス回路を備えてもよい。
【００３２】
光源部１１１は、ハロゲンランプ、キセノンランプ、超高圧水銀ランプ等のランプ、或いは、ＬＥＤやレーザー光源等の固体光源で構成される。光源部１１１は、光源駆動部１２２から供給される電力により点灯し、光変調装置１１２に向けて光を発する。
【００３３】
光源駆動部１２２は、光源部１１１に駆動電流やパルスを供給し、光源部１１１を発光させる。また、光源駆動部１２２は、制御部１３０の制御に従って、光源部１１１の輝度を調整してもよい。
【００３４】
光変調装置１１２は、光源部１１１が発する光を変調して画像光を生成し、画像光を投射光学系１１３に照射する。
光変調装置１１２は、例えば、透過型の液晶ライトバルブ、反射型の液晶ライトバルブ、デジタルミラーデバイス（ＤＭＤ）等の光変調素子を備える。光変調装置１１２の光変調素子には光変調装置駆動部１２３が接続される。
【００３５】
投射光学系１１３は、光変調装置１１２で変調された光をスクリーン上に結像するレンズやミラーを備える。また、投射光学系１１３は、ズームレンズ、フォーカスレンズ等の各種のレンズまたはレンズ群を含んでもよい。
【００３６】
光変調装置駆動部１２３には、画像処理部１２５から、光変調装置１１２に描画する画像の画像信号が入力される。光変調装置駆動部１２３は、画像処理部１２５が出力する画像信号に基づき、光変調装置１１２を駆動する。光変調装置駆動部１２３は、光変調装置１１２の光変調素子を駆動して各画素の階調を設定し、光変調素子にフレーム（画面）単位で画像を描画する。
【００３７】
画像処理部１２５は、制御部１３０の制御により選択される画像ソースから画像データを取得して、取得した画像データに対する各種の画像処理を実行する。例えば、画像処理部１２５は、画像データの解像度を光変調装置１１２の表示解像度に合わせて変換する解像度変換処理を実行する。また、画像処理部１２５は、画像データの形状を補正する幾何補正処理、画像データの色調を補正する色調補正処理等を実行する。画像処理部１２５は、処理後の画像データを表示するための画像信号を生成し、光変調装置駆動部１２３に出力する。画像処理部１２５は、画像処理を実行する場合、画像ソースから取得した画像データに基づく画像をフレームメモリー１２６に展開し、フレームメモリー１２６に展開した画像に対する各種処理を実行する。
【００３８】
制御部１３０は、ＣＰＵ（Ｃｅｎｔｒａｌ  Ｐｒｏｃｅｓｓｉｎｇ  Ｕｎｉｔ）やマイコン等のプロセッサー（図示略）を備え、このプロセッサーによりプログラムを実行することにより、プロジェクター１００の各部を制御する。制御部１３０は、プロセッサーが実行する制御プログラムを不揮発的に記憶するＲＯＭ（Ｒｅａｄ  Ｏｎｌｙ  Ｍｅｍｏｒｙ）、及び、プロセッサーのワークエリアを構成するＲＡＭ（Ｒａｎｄｏｍ  Ａｃｃｅｓｓ  Ｍｅｍｏｒｙ）を備えてもよい。
【００３９】
制御部１３０は、プロジェクター１００の各部を制御する機能ブロックとして、投射制御部１３１、及び、通信制御部１３２を有する。これらの機能ブロックは、制御部１３０のプロセッサーが、記憶部１５１またはＲＯＭ（図示略）に記憶されるプログラムを実行することにより、ソフトウェアとハードウェアの協働により実現される。
【００４０】
記憶部１５１は、磁気的記憶装置、半導体メモリーデバイス、或いはその他の種類の不揮発性記憶装置により構成される。記憶部１５１は、制御部１３０により処理されるデータや、制御部１３０のＣＰＵが実行するプログラムを記憶する。
【００４１】
入力処理部１５３は、ユーザーによる操作を受け付ける機能部である。
操作パネル１５５は、例えば、プロジェクター１００の筐体に配置され、各種のスイッチを備える。入力処理部１５３は操作パネル１５５のスイッチの操作を検出し、操作されたスイッチを示す制御データを制御部１３０に出力する。
【００４２】
入力処理部１５３に接続される赤外線受光部１５４は、リモコン１７０が送信する赤外線信号を受光して、受光した信号をデコードする。リモコン１７０は、各種のスイッチを備え、操作されたスイッチを示す赤外線信号を送信する。赤外線受光部１５４は、受光した信号をデコードしたデータを、入力処理部１５３に出力する。入力処理部１５３は、赤外線受光部１５４から入力されるデータを制御部１３０に出力する。
【００４３】
無線通信部１５６は、図示しないアンテナやＲＦ回路等を備え、制御部１３０の制御の下、端末装置１０Ａ、１０Ｂとの間で無線通信規格に準拠して通信する。プロジェクター１００と端末装置１０Ａ、１０Ｂとは、無線通信方式によって各種データを送受信可能に接続される。例えば、無線通信部１５６は、端末装置１０Ａ、１０Ｂとの間で、無線ＬＡＮ、Ｂｌｕｅｔｏｏｔｈ（登録商標）等の無線データ通信を実行する。例えば、無線通信部１５６は、端末装置１０Ａ、１０ＢからＭｉｒａｃａｓｔ（登録商標）やＷｉｒｅｌｅｓｓＨＤの通信により送信される映像コンテンツのデータを受信する。
【００４４】
制御部１３０の投射制御部１３１は、画像処理部１２５を制御して、画像ソースからコンテンツのデータを取得し、取得したデータに基づいてフレームメモリー１２６に画像を描画させる。投射制御部１３１は、光変調装置駆動部１２３を制御して、フレームメモリー１２６に描画された画像を光変調装置１１２に描画させる。これにより、光変調装置１１２に描画された画像が、投射光学系１１３を介してスクリーンＳＣ上に投射画像として投射される。
【００４５】
通信制御部１３２は、無線通信部１５６を制御して端末装置１０Ａと無線通信を行う。通信制御部１３２は、端末装置１０Ａとの間で無線通信を確立し、端末装置１０Ａが送信するデータを受信し、受信したデータを処理する。例えば、通信制御部１３２がコンテンツデータを受信した場合、このコンテンツデータは制御部１３０のＲＡＭや記憶部１５１に一時的に記憶され、投射制御部１３１によりスクリーンＳＣに投射される。また、通信制御部１３２は、無線通信部１５６により、端末装置１０Ｂとの間で無線通信を確立し、端末装置１０Ｂが送信するデータを受信し、受信したデータを処理する。
【００４６】
図３は、端末装置１０Ａ、１０Ｂの構成を示すブロック図である。
端末装置１０Ａ（第１の端末装置、外部端末）は、制御部２０Ａ、タッチスクリーン３０、記憶部４０、無線通信部５０、操作部５４、動き検出部５５、撮像部５６、スピーカー５７、及び、マイク５８を備える。
【００４７】
制御部２０Ａは、ＣＰＵやマイコン等のプロセッサー（図示略）を備え、このプロセッサーによりプログラムを実行することにより、端末装置１０Ａの各部を制御する。制御部２０Ａは、プロセッサーが実行する制御プログラムを不揮発的に記憶するＲＯＭ、及び、プロセッサーのワークエリアを構成するＲＡＭを備えてもよい。
制御部２０Ａは、端末装置１０Ａの各部を制御する機能ブロックとして、ＯＳ（オペレーティングシステム）２１Ａ、表示制御部２２Ａ、通信制御部２３Ａ、及び、接続制御部２４Ａを有する。これらの機能ブロックは、制御部２０Ａのプロセッサーが、記憶部４０またはＲＯＭ（図示略）に記憶されるプログラムを実行することにより、ソフトウェアとハードウェアの協働により実現される。
【００４８】
タッチスクリーン３０は、表示パネル３１、及びタッチパネル３２を備える。表示パネル３１（表示部）は、液晶表示パネル、有機ＥＬ表示パネル等で構成される。タッチパネル３２（操作検出部）は、表示パネル３１に重ねて配置され、ユーザーの身体や所定のタッチ操作デバイスによるタッチ操作及び／または押圧操作を検出する。タッチスクリーン３０は、図１に示したように、端末装置１０Ａの筐体１１において表面に実装される。
タッチパネル３２は、タッチ操作または押圧操作を検出して、検出した操作位置を示す位置信号を生成する。タッチパネル３２または制御部２０Ａは、タッチパネル３２の位置信号に基づいて、タッチスクリーン３０上の操作位置の座標を示す座標情報を生成する。
【００４９】
記憶部４０は、フラッシュメモリー、ＥＥＰＲＯＭ等の半導体記憶デバイスで構成される不揮発性の記憶装置である。記憶部４０は、制御部２０Ａが実行する各種プログラムやデータを記憶する。
【００５０】
無線通信部５０は、アンテナやＲＦ回路（図示略）等を備え、制御部２０Ａに接続される。無線通信部５０は、制御部２０Ａによって制御され、プロジェクター１００や端末装置１０Ｂとの間で上述した無線通信方式に準じて各種データを送受信する。
【００５１】
本実施形態では、無線通信部５０は、無線ＬＡＮ通信を実行するＬＡＮ通信部５１、及び、Ｂｌｕｅｔｏｏｔｈ通信を実行するＢＴ通信部５２を備える。ＢＴ通信部５２は、Ｂｌｕｅｔｏｏｔｈ  Ｌｏｗ  Ｅｎｅｒｇｙ（ＢＬＥ）に対応した無線通信部である。なお、無線通信部５０は、ＬＡＮ通信部５１及びＢＴ通信部５２を、独立したハードウェアとして備えてもよいし、ＬＡＮ通信部５１及びＢＴ通信部５２を統合した無線通信モジュールであってもよい。
【００５２】
ＬＡＮ通信部５１は、制御部２０Ａの制御に従って、ＩＥＥＥ８０２．１１ｘ規格に準拠した、２．４ＧＨｚ帯及び／または５ＧＨｚ帯の無線通信を実行し、無線ＬＡＮの通信プロトコルを実行する。ＢＴ通信部５２は、制御部２０Ａの制御に従って、２．４ＧＨｚ帯などＢｌｕｅｔｏｏｔｈ規格に準拠した通信を実行する。
【００５３】
端末装置１０Ａは、通信の相手先の機器が対応可能な通信プロトコルにより通信を実行する。端末装置１０ＡがＬＡＮ通信部５１とＢＴ通信部５２のどちらを利用して通信するかは、通信相手先の機器の仕様等により決定すればよい。
本実施形態では、一例として、端末装置１０Ａは、ＬＡＮ通信部５１によりプロジェクター１００と通信し、ＢＴ通信部５２によって、端末装置１０Ｂと通信する。ＢＴ通信部５２が端末装置１０Ｂとの間でＢＬＥ規格に準拠した通信を行うことは、後述するように、端末装置１０Ａと端末装置１０Ｂとの間の距離を推定できるという利点がある。
【００５４】
なお、無線通信部５０が無線通信に使用する無線信号の周波数、符号化方式、プロトコル、無線通信部５０が準拠する規格等は任意に変更可能であり、本実施形態のＬＡＮ通信部５１及びＢＴ通信部５２はあくまで一例である。
【００５５】
操作部５４は、操作ボタン１４（図１）の操作を検出して、操作を示すデータを制御部２０Ａに出力する。また、端末装置１０Ａが、操作ボタン１４以外の操作子を筐体１１に備える構成としてもよく、この場合、操作部５４が各操作子の操作を検出する。
【００５６】
動き検出部５５は、筐体１１の動きを検出するセンサーを備え、センサーの検出値を示すデータを制御部２０Ａに出力する。具体的には、動き検出部５５は、加速度センサー、角速度（ジャイロ）センサー、及び、地磁気センサー等から選択される１以上のセンサーを備え、センサーの検出値を取得する。動き検出部５５は、３軸加速度センサー、３軸角速度センサー、及び３軸地磁気センサーを統合した動きセンサーモジュールを用いて構成することもできる。また、２軸或いは１軸のセンサーを統合したセンサーモジュールであってもよいし、複数のセンサーを個別に備える構成であってもよい。
【００５７】
また、動き検出部５５または制御部２０Ａが、動き検出部５５のセンサーの検出値を積算することにより、筐体１１の動きの軌跡を示すデータを生成する機能を有してもよい。すなわち、動き検出部５５は、予め設定されたサンプリングレートに従ってセンサーの検出値を取得し、検出値を検出時刻と対応付けることにより、動き検出部５５または制御部２０Ａが検出値を積算する。この場合、筐体１１の動きの軌跡を求めることができる。例えば、制御部２０Ａは、筐体１１の動きの軌跡が、予め設定された動きのパターンに該当することを検出できる。
【００５８】
撮像部５６は、筐体１１に設けられる１または複数のデジタルカメラである。撮像部５６は、例えば、ＣＣＤやＣＭＯＳ等からなる撮像素子、及び、撮像素子を駆動して撮像画像データを出力する周辺回路を有するモジュールとして構成されてもよい。
【００５９】
スピーカー５７は、制御部２０Ａの制御に従って音声を出力する。マイク５８は、音声を集音して制御部２０Ａにデジタル音声データを出力する。端末装置１０Ａは、制御部２０Ａと、スピーカー５７及びマイク５８との間に、デジタル音声データとアナログ音声信号とを変換するＡ／ＤコンバーターやＤ／Ａコンバーターを有する音声処理部（図示略）を備えてもよい。
【００６０】
制御部２０Ａは、記憶部４０に記憶される制御プログラム４１を実行して、ＯＳ２１Ａの機能により、端末装置１０Ａの各部に対し、初期化等を含む基本的な制御を行う。ＯＳ２１Ａは、制御部２０Ａが実行するアプリケーションプログラム（アプリケーション、或いはアプリともいう）に対し、アプリケーションフレームワークまたはプラットフォームを提供する。具体的には、制御部２０Ａが実行するアプリケーションは、ＯＳ２１Ａが提供するＡＰＩ（Ａｐｐｌｉｃａｔｉｏｎ  Ｐｒｏｇｒａｍｍｉｎｇ  Ｉｎｔｅｒｆａｃｅ）を利用して、端末装置１０Ａに、モジュール化された機能を実行させることができる。
【００６１】
制御部２０Ａの表示制御部２２Ａ、通信制御部２３Ａ、及び接続制御部２４Ａの機能は、ＯＳ２１Ａ上で動作するアプリケーションとして実現できる。また、制御部２０Ａは、ＯＳ２１Ａ上で種々のアプリケーションを動作させることが可能であり、ゲーム、音声通話、ビデオ通話、計算機、アドレス帳、及び、その他の機能を有するアプリケーションを実行できる。
【００６２】
表示制御部２２Ａは、表示パネル３１に画像、文字等を含む各種画面を表示する制御を行う。また、表示制御部２２Ａは、表示パネル３１に操作画像３０Ａ（図１）等を含むＧＵＩが表示された状態で、タッチパネル３２が検出する操作位置に基づき、操作内容を特定する。
【００６３】
通信制御部２３Ａは、無線通信部５０を制御して、所定の周波数の無線信号の送受信を実行し、送信するデータのエンコード、及び受信するデータのデコードを行うことにより、端末装置１０Ａ以外の外部装置と通信を実行する。
本実施形態で、端末装置１０Ａの通信制御部２３Ａは、ＬＡＮ通信部５１を制御して、プロジェクター１００との間でデータ通信を実行し、プロジェクター１００との間で無線通信回線を確立する。通信制御部２３Ａは、ＬＡＮ通信部５１により、記憶部４０が記憶するコンテンツデータ４３、または、コンテンツデータ４３をデコードした映像データ及び音声データを、プロジェクター１００に送信する。
【００６４】
また、端末装置１０Ａの通信制御部２３Ａは、ＢＴ通信部５２によって、ＢＬＥプロトコルに従って端末装置１０Ｂと通信を実行させる。
通信制御部２３Ａ及びＢＴ通信部５２は、Ｂｌｕｅｔｏｏｔｈ通信においてセントラル側の機器として動作する構成であってもよく、ペリフェラル側の機器として動作する構成であってもよい。
【００６５】
通信制御部２３Ａは、端末装置１０Ｂとの間の通信を確立する動作を行う。この動作において、端末装置１０Ａがセントラル側の機器として動作する場合、通信制御部２３Ａは、ペリフェラル側の機器をスキャンするパケットの送信、ペリフェラル側の機器からの応答の受信、ペリフェラル側の機器までの距離の算出等の各種の処理を行う。また、端末装置１０Ａがペリフェラル側の機器として動作する場合、通信制御部２３Ａは、セントラル側の機器が送信するパケットの受信、応答の送信等を行う。
【００６６】
通信制御部２３Ａは、端末装置１０Ｂとの間の通信が確立した後、端末装置１０Ｂの要求に応じて、記憶部４０が記憶する接続情報４４を、端末装置１０Ｂに送信する。
【００６７】
接続制御部２４Ａは、端末装置１０Ａを外部の機器（例えば、端末装置１０Ｂ）に接続する動作において、通信制御部２３Ａ及び無線通信部５０をセントラル側（探索装置）、或いは、ペリフェラル側（被探索装置）として動作させる。端末装置１０Ａがセントラル側として動作するか、ペリフェラル側として動作するかは予め設定されてもよいしタッチパネル３２の操作により指定されてもよい。
【００６８】
接続制御部２４Ａの制御により、端末装置１０Ａがセントラル側として動作する場合、通信制御部２３Ａ及びＢＴ通信部５２は、ペリフェラル側の機器を探索する探索信号を送信する。ペリフェラル側の機器が存在する場合、当該機器は応答信号を送信する。この応答信号を通信制御部２３Ａ及びＢＴ通信部５２が受信した場合、接続制御部２４Ａは、受信した応答信号に含まれる情報が、予め設定された条件に該当するか否かに基づき、接続の可否を判定する。
接続制御部２４Ａは、応答信号を送信したペリフェラル側の機器が、予め設定された条件に該当すると判定した場合、通信制御部２３Ａにより通信を確立させる。また、条件に該当しないと判定した場合、通信制御部２３Ａを制御して通信を終了する。
【００６９】
この場合、端末装置１０Ｂがペリフェラル側の機器として動作するよう設定され、端末装置１０Ａが判定する条件に該当する場合、接続制御部２４Ａは、端末装置１０Ｂとの間の通信を確立させる。この場合、接続制御部２４Ａは、端末装置１０Ｂとの通信を確立した後、記憶部４０が記憶する接続情報４４を端末装置１０Ｂに送信させる。
【００７０】
端末装置１０Ａは、接続制御部２４Ａにより、端末装置１０Ｂに対して予め設定された条件に該当する状態の端末であるか否かを判定するため、後述する条件データ４５を用いる。すなわち、予め設定された条件は条件データ４５により設定される。
【００７１】
接続制御部２４Ａの制御により、端末装置１０Ａがペリフェラル側として動作する場合、通信制御部２３Ａ及びＢＴ通信部５２は、セントラル側の機器から送信される探索信号を受信する。通信制御部２３Ａ及びＢＴ通信部５２は、探索信号に応答して、応答信号を送信する。この応答信号をセントラル側の機器が受信した後、このセントラル側の機器が通信を確立する制御を行う場合、通信制御部２３Ａ及びＢＴ通信部５２は、当該制御に従って通信を確立する。
従って、端末装置１０Ｂが、セントラル側の機器として動作するよう設定された場合、接続制御部２４Ａは、端末装置１０Ｂの制御に従って、端末装置１０Ｂとの間の通信を確立できる。この場合、接続制御部２４Ａは、端末装置１０Ｂとの通信を確立した後、記憶部４０が記憶する接続情報４４を端末装置１０Ｂに送信させる。
【００７２】
記憶部４０は、制御プログラム４１、設定データ４２、コンテンツデータ４３、接続情報４４、及び条件データ４５を記憶する。
制御プログラム４１は、制御部２０Ａにより実行されるプログラムであって、端末装置１０Ａの各部を制御するためのプログラムである。制御プログラム４１は、例えば、ＯＳ２１Ａの実行ファイル等を含む。
設定データ４２は、端末装置１０Ａの動作に関する設定内容を含むデータであり、制御部２０Ａが端末装置１０Ａを制御する場合に参照される。
【００７３】
コンテンツデータ４３は、動画像（映像）データまたは静止画像データを含み、プロジェクター１００で再生可能なコンテンツのデータである。コンテンツデータ４３は、複数の動画像または静止画像データを含んでもよいし、音声データを含んでもよい。
【００７４】
接続情報４４は、端末装置１０Ａとプロジェクター１００とが無線通信を確立するための情報である。例えば、接続情報４４は、プロジェクター１００のＭＡＣ（Ｍｅｄｉａ  Ａｃｃｅｓｓ  Ｃｏｎｔｒｏｌ）アドレス、ＳＳＩＤ（Ｓｅｒｖｉｃｅ  Ｓｅｔ  ＩＤｅｎｔｉｆｉｅｒ）等を含む。また、接続情報４４は、表示システム１が有するアクセスポイント名、パスフレーズ（パスワード）等の情報を含んでもよい。プロジェクター１００は、通信制御部１３２（図２）の機能により、接続情報４４に基づきプロジェクター１００にアクセスする機器との間で、接続情報４４に含まれる情報を利用した処理を実行して無線通信を確立し、接続する。接続情報４４は、無線通信設定情報と呼ぶこともできる。
【００７５】
条件データ４５は、端末装置１０Ａが通信する相手先について予め設定された条件を示すデータである。制御部２０Ａは、外部の装置との間で通信を開始するシーケンスを実行した場合、この外部の装置が条件データ４５に設定された条件に該当する場合に、通信を確立する。制御部２０Ａは、条件データ４５に基づき通信を確立した相手先の装置に対し、接続情報４４を送信する。
【００７６】
端末装置１０Ｂ（第２の端末装置、外部端末）は、端末装置１０Ａと同様に、タッチスクリーン３０、記憶部４０、無線通信部５０、操作部５４、動き検出部５５、撮像部５６、スピーカー５７、及び、マイク５８を備える。これらの各部は端末装置１０Ａと共通の構成とすることができるので、共通の構成部には同符号を付して説明を省略する。なお、端末装置１０Ｂが備える上記の各部が端末装置１０Ａの機能部と完全に同一である必要はない。例えば、同等の機能を有する別の機能部で代替させることが可能である。
【００７７】
制御部２０Ｂは、制御部２０Ａと同様に、ＣＰＵやマイコン等のプロセッサー（図示略）を備え、このプロセッサーによってプログラムを実行することにより、端末装置１０Ｂの各部を制御する。制御部２０Ｂは、プロセッサーが実行する制御プログラムを不揮発的に記憶するＲＯＭ、及び、プロセッサーのワークエリアを構成するＲＡＭを備えてもよい。
制御部２０Ｂは、端末装置１０Ｂの各部を制御する機能ブロックとして、ＯＳ２１Ｂ、表示制御部２２Ｂ、通信制御部２３Ｂ、及び、接続制御部２４Ｂを有する。これらの機能ブロックは、制御部２０Ｂのプロセッサーが、記憶部４０またはＲＯＭ（図示略）に記憶されるプログラムを実行することにより、ソフトウェアとハードウェアの協働により実現される。
【００７８】
制御部２０Ｂは、記憶部４０に記憶される制御プログラム４１を実行して、ＯＳ２１Ｂの機能により、端末装置１０Ｂの各部に対し、初期化等を含む基本的な制御を行う。ＯＳ２１Ｂは、ＯＳ２１Ａと同様に、制御部２０Ｂが実行するアプリケーションプログラムに対し、アプリケーションフレームワークまたはプラットフォームを提供する。具体的には、制御部２０Ｂが実行するアプリケーションは、ＯＳ２１Ｂが提供するＡＰＩを利用して、端末装置１０Ｂに、モジュール化された機能を実行させることができる。
【００７９】
制御部２０Ｂの表示制御部２２Ｂ、通信制御部２３Ｂ、及び接続制御部２４Ｂの機能は、ＯＳ２１Ｂ上で動作するアプリケーションとして実現できる。また、制御部２０Ｂは、ＯＳ２１Ｂ上で種々のアプリケーションを動作させることが可能であり、ゲーム、音声通話、ビデオ通話、計算機、アドレス帳、及び、その他の機能を有するアプリケーションを実行できる。
【００８０】
表示制御部２２Ｂ、及び、通信制御部２３Ｂの機能は、表示制御部２２Ａ及び通信制御部２３Ａの機能と同様である。
表示制御部２２Ｂは、表示パネル３１に画像、文字等を含む各種画面を表示する制御を行う。また、表示制御部２２Ｂは、表示パネル３１に操作画像３０Ｂ等を含むＧＵＩが表示された状態で、タッチパネル３２が検出する操作位置に基づき、操作内容を特定する。
【００８１】
通信制御部２３Ｂは、無線通信部５０を制御して、所定の周波数の無線信号の送受信を実行し、送信するデータのエンコード、及び受信するデータのデコードを行うことにより、端末装置１０Ｂ以外の外部装置と通信を実行する。
本実施形態で、端末装置１０Ｂの通信制御部２３Ｂは、ＬＡＮ通信部５１を制御して、プロジェクター１００との間でデータ通信を実行し、プロジェクター１００との間で無線通信回線を確立する。通信制御部２３Ｂは、ＬＡＮ通信部５１により、記憶部４０が記憶するコンテンツデータ４３、または、コンテンツデータ４３をデコードした映像データ及び音声データを、プロジェクター１００に送信する。
【００８２】
また、端末装置１０Ｂの通信制御部２３Ｂは、ＢＴ通信部５２によって、ＢＬＥプロトコルに従って端末装置１０Ａと通信を実行させる。
通信制御部２３Ｂ及びＢＴ通信部５２は、Ｂｌｕｅｔｏｏｔｈ通信においてセントラル側の機器として動作する構成であってもよく、ペリフェラル側の機器として動作する構成であってもよい。
【００８３】
通信制御部２３Ｂは、端末装置１０Ａとの間の通信を確立する動作を行う。この動作において、端末装置１０Ｂがセントラル側の機器として動作する場合、通信制御部２３Ｂは、ペリフェラル側の機器をスキャンするパケットの送信、ペリフェラル側の機器からの応答の受信、ペリフェラル側の機器までの距離の算出等の各種の処理を行う。また、端末装置１０Ｂがペリフェラル側の機器として動作する場合、通信制御部２３Ｂは、セントラル側の機器が送信するパケットの受信、応答の送信等を行う。
【００８４】
接続制御部２４Ｂは、端末装置１０Ｂを外部の機器（例えば、端末装置１０Ａ）に接続する動作において、通信制御部２３Ｂ及び無線通信部５０をセントラル側、或いは、ペリフェラル側として動作させる。端末装置１０Ｂがセントラル側として動作するか、ペリフェラル側として動作するかは予め設定されてもよいしタッチパネル３２の操作により指定されてもよい。
【００８５】
接続制御部２４Ｂの制御により、端末装置１０Ｂがセントラル側として動作する場合、通信制御部２３Ｂ及びＢＴ通信部５２は、ペリフェラル側の機器を探索する探索信号を送信する。ペリフェラル側の機器が存在する場合、当該機器は応答信号を送信する。この応答信号を通信制御部２３Ｂ及びＢＴ通信部５２が受信した場合、接続制御部２４Ｂは、受信した応答信号に含まれる情報が、予め設定された条件に該当するか否かに基づき、接続の可否を判定する。
接続制御部２４Ｂは、応答信号を送信したペリフェラル側の機器が、予め設定された条件に該当すると判定した場合、通信制御部２３Ｂにより通信を確立させる。また、条件に該当しないと判定した場合、通信制御部２３Ｂを制御して通信を終了する。
従って、端末装置１０Ａがペリフェラル側の機器として動作するよう設定され、端末装置１０Ｂの条件に該当する場合、接続制御部２４Ｂは、端末装置１０Ａとの間の通信を確立させる。この場合、接続制御部２４Ｂが端末装置１０Ａとの通信を確立した後で、端末装置１０Ａが、記憶部４０が記憶する接続情報４４を端末装置１０Ａに送信する。通信制御部２３Ｂは、送信された接続情報４４を受信して、記憶部４０に記憶させる。
【００８６】
ここで、端末装置１０Ｂは、接続制御部２４Ｂにより、端末装置１０Ａに対して予め設定された条件に該当する状態の端末であるか否かを判定するため、後述する条件データ４５を用いる。すなわち、予め設定された条件は条件データ４５により設定される。従って、端末装置１０Ｂがペリフェラル側の機器としてのみ動作する場合、すなわちセントラル側の機器としての動作をしない場合、条件データ４５を有しない構成であってもよい。
【００８７】
また、接続制御部２４Ｂの制御により、端末装置１０Ｂがペリフェラル側として動作する場合、通信制御部２３Ｂ及びＢＴ通信部５２は、セントラル側の機器から送信される探索信号を受信する。通信制御部２３Ａ及びＢＴ通信部５２は、探索信号に応答して、応答信号を送信する。この応答信号をセントラル側の機器が受信した後、このセントラル側の機器が通信を確立する制御を行う場合、通信制御部２３Ｂ及びＢＴ通信部５２は、当該制御に従って通信を確立する。従って、端末装置１０Ａがセントラル側の機器として動作するよう設定された場合、接続制御部２４Ｂは、端末装置１０Ａの制御に従って、端末装置１０Ａとの間の通信を確立できる。この場合、接続制御部２４Ｂが端末装置１０Ａとの通信を確立した後で、端末装置１０Ａが、記憶部４０が記憶する接続情報４４を端末装置１０Ａに送信する。通信制御部２３Ｂは、送信された接続情報４４を受信して、記憶部４０に記憶させる。
【００８８】
図４は、表示システム１の動作の一態様を示すシーケンス図であり、プロジェクター１００、端末装置１０Ａ、及び、端末装置１０Ｂの動作をそれぞれ示す。また、図５は、表示システム１の動作の別の態様を示すシーケンス図であり、プロジェクター１００、端末装置１０Ａ、及び、端末装置１０Ｂの動作をそれぞれ示す。図４及び図５に示す動作（特に、ステップＳ１１以後）は、情報交換動作に相当する。
【００８９】
図４の動作例は、端末装置１０Ａがセントラル側の機器（探索装置）として動作し、端末装置１０Ｂがペリフェラル側の機器（被探索装置）として動作する例である。図５の動作例は、端末装置１０Ａがペリフェラル側の機器（被探索装置）として動作し、端末装置１０Ｂがセントラル側の機器（探索装置）として動作する例である。
【００９０】
端末装置１０Ａは、タッチスクリーン３０に対する操作または操作部５４の操作に応じて、プロジェクター１００を制御するアプリケーションを実行し、プロジェクター１００を検索する（ステップＳ１）。ステップＳ１で、端末装置１０Ａは、通信制御部２３Ａの制御により、例えばＬＡＮ通信部５１からブロードキャストパケットを送信し、無線ＬＡＮ通信が可能な機器を検索する。プロジェクター１００が応答を送信すると（ステップＳ２）、端末装置１０Ａはプロジェクター１００との間で無線ＬＡＮのコネクションを確立する（ステップＳ３）。ステップＳ３では、プロジェクター１００と端末装置１０Ａとが認証を行うため、通信制御部２３Ａは接続情報４４を用いてプロジェクター１００との通信を実行する。ここで、認証に要する情報等がタッチスクリーン３０や操作部５４により入力され、通信制御部２３Ａが、入力された情報に基づき接続情報４４を生成して記憶部４０に記憶してもよい。
【００９１】
端末装置１０Ａは、プロジェクター１００との通信が確立すると、コンテンツデータ４３をプロジェクター１００に送信し（ステップＳ４）、プロジェクター１００は、送信されたコンテンツデータ４３に基づく映像を投射する（ステップＳ６）。
このように、表示システム１では、端末装置１０Ａが備えるコンテンツデータ４３に基づいてプロジェクター１００により映像を投射させることができる。
【００９２】
端末装置１０Ｂがプロジェクター１００に接続して、端末装置１０Ｂが有するコンテンツデータ４３に基づいてプロジェクター１００に映像を投射させる場合の動作を、以下に説明する。
【００９３】
端末装置１０Ａは、タッチスクリーン３０または操作部５４の操作に従い、相互接続用のアプリケーションを開始し、このアプリケーションの機能により操作画像３０Ａ（図１）がタッチスクリーン３０に表示される。操作画像３０Ａは、端末装置１０Ｂとの接続開始を指示するボタンとして機能する。また、端末装置１０Ｂは、タッチスクリーン３０または操作部５４の操作に従い、相互接続用のアプリケーションを開始し、このアプリケーションの機能により操作画像３０Ｂ（図１）がタッチスクリーン３０に表示される。操作画像３０Ｂは、端末装置１０Ａとの接続開始を指示するボタンとして機能する。
【００９４】
端末装置１０Ａで、操作画像３０Ａが操作されると（ステップＳ１１）、接続制御部２４ＡがＢＴ通信部５２の動作を開始する（ステップＳ１２）。一方、端末装置１０Ｂの操作画像３０Ｂが操作されると（ステップＳ１３）、接続制御部２４ＢがＢＴ通信部５２の動作を開始する（ステップＳ１４）。
【００９５】
端末装置１０Ａは、ＢＴ通信部５２によって、ペリフェラル機器を探索するためのペリフェラルスキャンパケットを、例えばブロードキャスト送信する（ステップＳ１５）。端末装置１０Ｂは、ペリフェラルスキャンパケットを受信し、スキャンへの応答として、アドバタイジングパケットを送信する（ステップＳ１６）。アドバタイジングパケットはブロードキャスト送信されてもよい。
【００９６】
端末装置１０Ａの通信制御部２３Ａは、アドバタイジングパケットを受信し、受信したアドバタイジングパケットに基づき、アドバタイジングパケットを送信した端末装置１０Ｂとの距離を算出する（ステップＳ１７）。
【００９７】
端末装置１０Ｂが送信するアドバタイジングパケットは、端末装置１０Ｂの送信強度（或いは、送信電力、送信出力であってもよい）を示すデータ（ＴｘＰｏｗｅｒ）を含む。端末装置１０Ａは、ＢＴ通信部５２によりアドバタイジングパケットを受信した際の受信強度を示すデータ（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）を取得する。
【００９８】
ステップＳ１７で、通信制御部２３Ａは、ＴｘＰｏｗｅｒとＲＳＳＩとに基づき、ＢＴ通信部５２から、アドバタイジングパケットの送信元までの距離を算出する。ここで算出される距離は、自由空間における電波の減衰特性を利用した、一種の推定値である。例えば、通信制御部２３Ａは、送信元までの距離を、Ｉｍｍｅｄｉａｔｅ（至近距離）、Ｎｅａｒ（約１メートルから３メートル）、Ｆａｒ（Ｎｅａｒを超える距離）の３段階の近接度（Ｐｒｏｘｉｍｉｔｙ）で求めてもよい。また、通信制御部２３Ａは、送信元までの距離を、例えばメートル単位で求めてもよい。また、アドバタイジングパケットは端末装置１０Ｂを特定可能な識別情報（ＩＤ）を含んでもよい。
【００９９】
端末装置１０Ａの接続制御部２４Ａは、通信制御部２３Ａがアドバタイジングパケットをもとに求めた距離が、条件データ４５に含まれる条件に該当するか否かに基づき、接続の可否を判定する（ステップＳ１８）。
【０１００】
条件データ４５は、例えば、アドバタイジングパケットから求められる距離の上限が、条件として設定される。この場合、ステップＳ１８で、接続制御部２４Ａは、ステップＳ１７で算出した距離が条件データ４５で設定された距離以下であれば、接続可と判定する。また、ステップＳ１７で算出した距離が、条件データ４５で設定された距離より大きい場合は接続不可と判定する。例えば、端末装置１０Ａと端末装置１０Ｂとの間の距離が条件データ４５で設定される距離以下の場合、接続制御部２４Ａは接続可と判定する。
ステップＳ１８で接続不可と判定した場合、接続制御部２４Ａは、端末装置１０Ｂとの間の通信を確立しない。
【０１０１】
ステップＳ１８で接続可能と判定した場合、接続制御部２４Ａは、通信制御部２３Ａを制御して、ＢＴ通信部５２により端末装置１０Ｂへの接続を試行させる（ステップＳ１９）。これにより、端末装置１０Ａの通信制御部２３Ａ及び端末装置１０Ｂの通信制御部２３Ｂによって、Ｂｌｕｅｔｏｏｔｈコネクションが確立される（ステップＳ２０）。
【０１０２】
その後、端末装置１０Ｂは、接続情報４４を要求する読み出し要求を通信制御部２３Ｂにより端末装置１０Ａに送信し（ステップＳ２１）、この要求に応じて端末装置１０Ａが、接続制御部２４Ａによって接続情報４４を端末装置１０Ｂに送信する（ステップＳ２２）。送信された接続情報４４は、端末装置１０Ｂにより受信され、記憶部４０に記憶される。
【０１０３】
端末装置１０Ｂでは、表示制御部２２Ｂにより、プロジェクター１００への接続を行うことを確認する確認用の画面がタッチスクリーン３０に表示される（ステップＳ２３）。この確認用の画面に対する操作に応じて、通信制御部２３Ｂは、ＬＡＮ通信部５１を制御し、ステップＳ２２で受信した接続情報４４に基づきプロジェクター１００に対して接続要求を行う（ステップＳ２４）。この要求によってプロジェクター１００と端末装置１０Ｂとの間のコネクションが確立される（ステップＳ２５）。
【０１０４】
端末装置１０Ｂは、プロジェクター１００との通信を確立した後に、コンテンツデータ４３をプロジェクター１００に送信し（ステップＳ２６）、プロジェクター１００は、送信されたコンテンツデータ４３に基づく映像を投射する（ステップＳ２７）。
このように、表示システム１では、端末装置１０Ｂが備えるコンテンツデータ４３に基づいてプロジェクター１００により映像を投射させることができる。
【０１０５】
図４のシーケンス図に従って動作する端末装置１０Ａは、本発明の端末装置に相当する。すなわち、端末装置１０Ａは、プロジェクター１００と接続するための接続情報４４を有する端末装置であって、外部端末である端末装置１０Ｂと通信可能な無線通信部５０と、無線通信部５０を制御する制御部２０Ａと、を備える。制御部２０Ａは、無線通信部５０により端末装置１０Ｂに探索信号に相当するペリフェラルスキャンパケットを送信する（ステップＳ１５）。制御部２０Ａは、ペリフェラルスキャンパケットを受信した端末装置１０Ｂが、端末装置１０Ｂの状態を示す状態情報を含む応答信号としてアドバタイジングパケットを送信した場合に、このパケットを受信する。制御部２０Ａは、アドバタイジングパケットに含まれる状態情報が条件データ４５の条件に該当する場合に、端末装置１０Ｂとの間で無線通信を確立し、無線通信部５０により接続情報４４を送信する。
【０１０６】
これにより、端末装置１０Ａは、端末装置１０Ｂが送信するアドバタイジングパケットに含まれる状態情報が、条件データ４５に該当する場合に、端末装置１０Ｂと無線通信により接続する。これにより、条件データ４５に該当する端末装置１０Ｂを選択的に接続させて、この端末装置１０Ｂに対し接続情報４４を送信できる。
【０１０７】
また、図４のシーケンス図に従って動作する端末装置１０Ｂは、本発明の端末装置に相当する。すなわち、端末装置１０Ｂは、端末装置１０Ａと通信可能な無線通信部５０と、無線通信部５０を制御する制御部２０Ｂと、を備える。制御部２０Ｂは、無線通信部５０により、プロジェクター１００と接続するための接続情報４４を有する端末装置１０Ａから、探索信号に相当するペリフェラルスキャンパケットを受信する。制御部２０Ｂは、端末装置１０Ｂの状態を示す状態情報を含む応答信号に相当するアドバタイジングパケットを送信する。アドバタイジングパケットに含まれる状態情報と条件データ４５の条件とに基づき端末装置１０Ａが端末装置１０Ｂとの間で無線通信を確立した場合に、端末装置１０Ａが送信する接続情報４４を無線通信部５０により受信する。
【０１０８】
これにより、端末装置１０Ｂは、端末装置１０Ａの条件に該当する状態情報を含むアドバタイジングパケットを送信することで、端末装置１０Ａに無線接続できる。これにより、端末装置１０Ａを特定の端末装置１０Ｂに選択的に接続させて、この端末装置１０Ａから端末装置１０Ｂに接続情報４４を送信させることができる。
【０１０９】
図４の動作では、条件データ４５に接続条件として端末装置１０Ａと端末装置１０Ｂとの距離が設定され、端末装置１０Ｂが送信する応答信号としてのアドバタイジングパケットが、状態情報としてＴｘＰｏｗｅｒを示すデータを含む構成とした。そして、端末装置１０Ａがアドバタイジングパケットに基づき算出する距離が条件データ４５に適合するか否かを判定する構成とした。
本発明はこれに限定されず、例えば、条件データ４５に接続条件として端末装置１０Ｂを識別する識別情報（ＩＤ）が設定されてもよい。この場合、端末装置１０Ｂは、アドバタイジングパケットにＩＤを含めて送信し、端末装置１０Ａは、アドバタイジングパケットに含まれるＩＤを条件データ４５と照合することで判定を行う。
また、後述する図５に示す動作で送受信される状態情報も同様に変更可能である。
この例に限らず、条件データ４５に設定される接続条件およびアドバタイジングパケットに１０Ｂが含めるデータの組合せは任意である。
【０１１０】
図５の動作例では、端末装置１０Ａがペリフェラル側の機器（被探索装置）として動作し、端末装置１０Ｂがセントラル側の機器（探索装置）として動作する。このため、図４に示した動作とは、ペリフェラルスキャンパケット及びアドバタイジングパケットを送受信する動作が相違する。
【０１１１】
すなわち、端末装置１０ＡのＢＴ通信部５２、及び、端末装置１０ＢのＢＴ通信部５２が動作を開始すると、端末装置１０Ｂがペリフェラルスキャンパケットを、例えばブロードキャスト送信する（ステップＳ４１）。端末装置１０Ａは、ペリフェラルスキャンパケットを受信し、スキャンへの応答として、アドバタイジングパケットを送信する（ステップＳ４２）。アドバタイジングパケットはブロードキャスト送信されてもよい。通信制御部２３Ｂが送信するペリフェラルスキャンパケットは、図４のステップＳ１５で通信制御部２３Ａが送信するパケットと同様であってもよい。また、通信制御部２３Ａが生成するアドバタイジングパケットは、図４のステップＳ１６で通信制御部２３Ｂが生成するパケットと同様であってもよい。
【０１１２】
端末装置１０Ｂの通信制御部２３Ｂは、アドバタイジングパケットを受信し、受信したアドバタイジングパケットに基づき、アドバタイジングパケットを送信した端末装置１０Ｂとの距離を算出する（ステップＳ４３）。この動作はステップＳ１７（図４）と同様である。接続制御部２４Ｂは、通信制御部２３Ｂがアドバタイジングパケットをもとに求めた距離が、条件データ４５に含まれる条件に該当するか否かに基づき、接続の可否を判定する（ステップＳ４４）。
【０１１３】
端末装置１０Ｂの接続制御部２４Ｂは、ステップＳ４４で接続不可と判定した場合、端末装置１０Ａとの間の通信を確立しない。
一方、ステップＳ４４で接続可能と判定した場合、端末装置１０Ｂは、通信制御部２３Ｂにより、端末装置１０Ａへの接続を試行する（ステップＳ４５）。これにより、端末装置１０Ａと端末装置１０Ｂとの間でＢｌｕｅｔｏｏｔｈコネクションが確立される（ステップＳ４６）。その後の動作は図４と同様である。
【０１１４】
図５のシーケンス図に従って動作する端末装置１０Ａは、本発明の端末装置に相当する。すなわち、プロジェクター１００と接続するための接続情報４４を有する端末装置１０Ａは、端末装置１０Ｂと通信可能な無線通信部５０と、無線通信部５０を制御する制御部２０Ａと、を備える。制御部２０Ａは、無線通信部５０により、端末装置１０Ｂから探索信号としてのペリフェラルスキャンパケットを受信する。制御部２０Ａは、ペリフェラルスキャンパケットを受信した場合に、端末装置１０Ａの状態を示す状態情報を含む応答信号としてアドバタイジングパケットを送信する。端末装置１０Ｂが、アドバタイジングパケットに含まれる状態情報と条件データ４５とに基づき端末装置１０Ａとの間で無線通信を確立した場合に、端末装置１０Ａは、無線通信部５０により接続情報４４を送信する。このように、端末装置１０Ａが、端末装置１０Ｂが有する条件データ４５に該当する状態情報を含むアドバタイジングパケットを送信することで、端末装置１０Ａと端末装置１０Ｂとを無線接続できる。従って、端末装置１０Ａを端末装置１０Ｂに対して選択的に接続させることができ、端末装置１０Ａから端末装置１０Ｂに対し接続情報４４を送信できる。
【０１１５】
図５のシーケンス図に従って動作する端末装置１０Ｂは、本発明の端末装置に相当する。すなわち、端末装置１０Ｂは、端末装置１０Ａと通信可能な無線通信部５０と、無線通信部５０を制御する制御部２０Ｂと、を備える。制御部２０Ｂは、無線通信部５０により、プロジェクター１００と接続するための接続情報４４を有する端末装置１０Ａに探索信号としてのペリフェラルスキャンパケットを送信する。このペリフェラルスキャンパケットを受信した端末装置１０Ａが、端末装置１０Ａの状態を示す状態情報を含むアドバタイジングパケットを送信した場合に、このパケットを受信する。制御部２０Ｂは、アドバタイジングパケットに含まれる状態情報が条件データ４５の条件に該当する場合に、端末装置１０Ａとの間で無線通信を確立する。そして、端末装置１０Ａが送信する接続情報４４を無線通信部５０により受信する。これにより、端末装置１０Ａが送信するアドバタイジングパケットに含まれる状態情報が、条件データ４５の条件に該当する場合に、端末装置１０Ａと端末装置１０Ｂとが無線通信により接続される。従って、端末装置１０Ａと端末装置１０Ｂとを選択的に接続させて、端末装置１０Ｂが、端末装置１０Ａから接続情報４４を受信できる。
【０１１６】
図４及び図５の動作例では、端末装置１０Ａ、１０ＢにおいてＢＴ通信部５２を動作させるトリガーが、操作画像３０Ａ、３０Ｂの操作であったが、この例に限定されない。例えば、マイク５８で特定の音声コマンドを検出することを上記トリガーとしてもよい。この場合、ユーザーが、端末装置１０Ａ、１０Ｂに対し音声を発することで、上記の動作が開始される。また、上記のトリガーを、動き検出部５５により所定のパターン或いは軌跡を示す動きを検出することとしてもよい。この場合、筐体１１を動かす操作に応じて上記動作を開始できる。
【０１１７】
以上説明したように、表示システム１は、プロジェクター１００との接続情報４４を有し、無線通信部５０を備える端末装置１０Ａと、端末装置１０Ａが備える無線通信部５０と通信可能な無線通信部５０を備える端末装置１０Ｂと、を有する。端末装置１０Ａ、１０Ｂのいずれか一方が探索装置（セントラル）として動作し、他方が被探索装置（ペリフェラル）として動作する。端末装置１０Ａ、１０Ｂは情報交換動作を実行し、情報交換動作において、探索装置は、無線通信部５０により探索信号を送信する。被探索装置は、探索信号を受信した場合に、被探索装置の状態を示す状態情報を含む応答信号を無線通信部により送信する。探索装置は、応答信号を受信した場合であって、応答信号に含まれる状態情報が予め設定された条件に該当する場合に、被探索装置との通信を確立する。
【０１１８】
本発明の通信システム、及び、情報交換方法を適用した表示システム１によれば、応答信号に含まれる状態情報が、設定された条件に該当する場合に、端末装置１０Ａ、１０Ｂを無線通信により接続できる。このため、探索装置である端末装置１０Ａに、探索装置以外の端末のうち応答信号に含まれる状態情報が条件に該当する被探索装置である端末装置１０Ｂを、選択的に接続できる。従って、設定された条件に該当する情報となるように調整または制御を行うことで、特定の端末を選択的に無線接続させて、情報を送受信できる。例えば、Ｂｌｕｅｔｏｏｔｈ通信が可能な装置が複数存在する環境において、端末装置１０Ａに対し、端末装置１０Ｂを選択的に接続させることができる。このため、簡単な操作により、複数の端末装置１０Ａ、１０Ｂに、表示装置と接続するための情報を保持させることができる。
【０１１９】
また、端末装置１０Ａ、１０Ｂのそれぞれは動きを検出する動き検出部５５を備える。被探索装置は、動き検出部の検出結果を状態情報として含む応答信号を、無線通信部により送信してもよい。この場合、探索装置は、被探索装置が送信する応答信号に含まれる動き検出部の検出結果が、予め設定された条件に該当する場合に、被探索装置との通信を確立してもよい。この場合、端末装置１０Ａ、１０Ｂのうち被探索装置である端末を動かすことで、端末装置１０Ａ、１０Ｂを選択的に無線接続させることができる。
【０１２０】
また、端末装置１０Ａは、表示パネル３１と、表示パネル３１が表示する画像への操作を検出するタッチパネル３２とを備える。表示パネル３１に表示される操作画像３０Ａに対する操作をタッチパネル３２により検出した場合に、探索装置または被探索装置として情報交換動作を開始する。この場合、端末装置１０Ａで操作画像３０Ａに対する操作を行うことで、端末装置１０Ａ、１０Ｂを選択的に無線接続させることができる。
【０１２１】
また、端末装置１０Ｂは、表示パネル３１と、表示パネル３１が表示する画像への操作を検出するタッチパネル３２とを備える。表示パネル３１に表示される操作画像３０Ｂに対する操作をタッチパネル３２により検出した場合に、探索装置または被探索装置として情報交換動作を開始する。この場合、端末装置１０Ｂで操作画像３０Ｂに対する操作を行うことで、端末装置１０Ａ、１０Ｂを選択的に無線接続させることができる。
【０１２２】
また、図４に示す情報交換動作において、端末装置１０Ａは探索装置として動作し、端末装置１０Ｂは被探索装置として動作する。この場合、端末装置１０Ａが端末装置１０Ｂに対し選択的に無線接続して、情報を送信できる。また、図５に示す情報交換動作において、端末装置１０Ｂが探索装置として動作し、端末装置１０Ａが被探索装置として動作する。この場合も、端末装置１０Ａ、１０Ｂを選択的に無線接続させることができる。そして、簡単な操作により、端末装置１０Ａ、１０Ｂ間で表示装置と接続するための情報を共有させることができる。
【０１２３】
なお、上述した各実施形態は本発明を適用した具体的態様の例に過ぎず、本発明を限定するものではなく、異なる態様として本発明を適用することも可能である。例えば、上記実施形態では、端末装置１０Ａ、１０Ｂが、ＢＴ通信部５２によってＢｌｕｅｔｏｏｔｈプロトコルに準じた通信を実行する構成を例示したが、本発明はこれに限定されず、その他の近距離無線通信技術を利用してもよい。
また、上記の例では、探索装置が送信する探索信号を、Ｂｌｕｅｔｏｏｔｈプロトコルのペリフェラルスキャンパケットとし、応答信号を、アドバタイジングパケットとしたが、これは一例であり、本発明はこれに限定されない。
【０１２４】
また、本発明の表示装置は、スクリーンＳＣに画像を投射するプロジェクター１００に限定されない。例えば、液晶表示パネルを有する液晶ディスプレイであってもよい。また、例えば、ＰＤＰ（プラズマディスプレイパネル）や有機ＥＬ表示パネルを有するディスプレイであってもよく、その他の各種の表示装置にも本発明を適用可能である。
【０１２５】
また、上記実施形態でブロック図に示した各機能ブロックのうち少なくとも一部は、ハードウェアで実現してもよく、ハードウェアとソフトウェアの協働により実現される構成としてもよい。従って、ブロック図に示した通りに独立したハードウェア資源を配置する構成に限定されない。また、制御部が実行するプログラムは、記憶部または他の記憶装置（図示略）に記憶されてもよい。また、制御部が、外部の装置に記憶されたプログラムを取得して実行する構成としてもよい。その他、表示システム１を構成する機器の他の各部の具体的な細部構成についても、本発明の趣旨を逸脱しない範囲で任意に変更可能である。
【符号の説明】
【０１２６】
１…通信システム、１０Ａ…端末装置（第１端末）、１０Ｂ…端末装置（第２端末）、１１…筐体、１４…操作ボタン、２０Ａ、２０Ｂ…制御部、２２A、２２B…表示制御部、２３Ａ、２３Ｂ…通信制御部、２４Ａ、２４Ｂ…接続制御部、３０…タッチスクリーン、３０Ａ…操作画像、３０Ｂ…操作画像、３１…表示パネル（表示部）、３２…タッチパネル（操作検出部）、４０…記憶部、４３…コンテンツデータ、４４…接続情報、４５…条件データ、５０…無線通信部、５１…ＬＡＮ通信部、５２…ＢＴ通信部、５４…操作部、５５…動き検出部、５６…撮像部、５７…スピーカー、５８…マイク、１００…プロジェクター、１１０…投射部、１２４…Ｉ／Ｆ部、１２５…画像処理部、１３０…制御部、１３１…投射制御部、１３２…通信制御部、１５１…記憶部、１５６…無線通信部、ＳＣ…スクリーン。
【図１】
2019041210.tif 000003
【図２】
2019041210.tif 000004
【図３】
2019041210.tif 000005
【図４】
2019041210.tif 000006
【図５】
2019041210.tif 000007